(57)【特許請求の範囲】
【請求項１】
ターボチャージャのための吸気システム（１０）であって、
圧縮される給気を吸い込むための吸気消音器（１２）と、
圧縮される給気を前記吸気消音器（１２）から前記ターボチャージャの圧縮機（１１）の方向で案内するための吸気管（１３）と、
を有し、
当該吸気システム（１０）が、組み込み可能なユニットとして形成されており、
前記吸気消音器（１２）及び／または前記吸気管（１３）が、前記圧縮機に欠陥が生じた場合に、前記圧縮機の破片から運動エネルギーを取り除き、これにより、封込保護を形成し、前記吸気消音器（１２）が、所定の破断点（３４）を有する後壁（３１）と、変形可能な前壁（３０）とを備えることを特徴とする吸気システム。
【請求項２】
前記吸気消音器（１２）が、プレートまたはリブ（３２）を備え、
前記プレートまたはリブが、一方では、圧縮される給気の流動を案内するように、他方では、前記圧縮機に欠陥が生じた場合に前記圧縮機の破片から運動エネルギーを取り除くように、機能することを特徴とする請求項１に記載の吸気システム。
【請求項３】
プレートまたはリブが、前壁（３０）と後壁（３１）との間に位置することを特徴とする請求項２に記載の吸気システム。
【請求項４】
前記吸気管（１３）が、少なくとも１つの吸収素子（１８、２５、２６）を備え、
前記吸収素子が、一方では、圧縮される給気の流動を案内するように、他方では、前記圧縮機に欠陥が生じた場合に前記圧縮機の破片から運動エネルギーを取り除くように、機能することを特徴とする請求項１から３のいずれか１項に記載の吸気システム。
【請求項５】
前記吸収素子（２５）が、切頭円錐状の外面を有し、外側から前記吸気管の壁（２４）を囲み、
切頭円錐状の前記外面が、前記吸気管（１３）を圧縮機筐体に接続するように機能するフランジ（２２）の方向でテーパ状とされていることを特徴とする請求項４に記載の吸気システム。
【請求項６】
前記吸収素子（２６）が、ハニカムコア（２７）を有する環状構造体として形成されており、
前記吸収素子が、前記吸気管（１３）内に突出する第１部分と、前記圧縮機内に突出する第２部分と、を有することを特徴とする請求項４または５に記載の吸気システム。
【請求項７】
前記ハニカムコア（２７）を有する前記環状構造体が、前記第１部分を用いて、外面が切頭円錐状の前記吸収素子（２５）に続いていることを特徴とする請求項６に記載の吸気システム。
【請求項８】
前記吸収素子（１８）が、前記吸気管（１３）の蛇腹状部分として形成されており、前記吸気管が、第１端部が前記吸気管の筒状部分に続き、第２部分が前記圧縮機に続いていることを特徴とする請求項４から６のいずれか１項に記載の吸気システム。
【請求項９】
前記蛇腹状部分（１８）が、少なくとも１つの円周溝（２３）及び／または複数のポケット状凹所によって形成されていることを特徴とする請求項８に記載の吸気システム。
【請求項１０】
前記吸気管（１３）が、当該吸気システムを前記圧縮機に接続するためのフランジ（２２）を備え、
前記フランジ（２２）には、所定の破断点が形成されていることを特徴とする請求項１から９のいずれか１項に記載の吸気システム。
【請求項１１】
前記吸気管（１３）の外側に包囲体（３７）が設けられ、かつ、該包囲体（３７）と前記吸気管（１３）との間に絶縁材料（３８）が設けられていることを特徴とする請求項１から１０のいずれか１項に記載の吸気システム。
【請求項１２】
圧縮される給気を吸い込むための吸気システム（１０）と、
排気ガスを膨張させるための、及び、エネルギーを抽出するための、タービンと、
前記タービンで抽出したエネルギーを用いて給気を圧縮するための圧縮機（１１）と、
を備え、
前記タービンが、複数部品のタービン筐体と、前記タービン筐体内に位置付けられたタービンロータと、を備え、
前記圧縮機（１１）が、複数部品の圧縮機筐体と、前記圧縮機筐体内に位置付けられて  前記タービンロータに連結された圧縮機ロータ（１６）と、を備え、
前記吸気システム（１０）が、請求項１から１１のいずれか１項に記載の吸気システムであることを特徴とするターボチャージャ。
【発明の詳細な説明】
【技術分野】
【０００１】
ターボチャージャは、タービン及び圧縮機を備える。ターボチャージャのタービンは、エンジンから出た排気ガスを膨張させるように、及び、排気ガスの膨張中にエネルギーを抽出するように、機能する。ターボチャージャの圧縮機は、タービン内で抽出したエネルギーを用いて、エンジンに供給される吸気を圧縮するように機能する。さらに、ターボチャージャは、ターボチャージャの圧縮機の方向で、圧縮される給気を取り込むための吸気消音器をまたは吸気素子／消音器から圧縮された給気を案内するための吸気管を有する吸気システムを備える。
【背景技術】
【０００２】
ターボチャージャの動作中に、例えば圧縮機ロータが破損し、圧縮機ロータの破片が圧縮機筐体を突き破ってターボチャージャを囲むものの中へ飛び込む危険性がある。同様の欠陥は、ターボチャージャのタービンの領域でも発生し得る。この問題を考慮するために、圧縮機筐体及び該当する場合に実例から公知のターボチャージャの場合におけるタービン筐体は、筐体それぞれの欠陥を予想する必要がないように設計されており、ロータそれぞれが破裂しても、ロータの破片が筐体それぞれを突き破らない。このため、一方では、ターボチャージャの重量を増加させ、他方では、これら対策を新規に設計したターボチャージャでのみ採用する。
【０００３】
それに反して、既存の旧来のターボチャージャは、設計変更できず、そのため、これらターボチャージャは、対応する保護を有しておらず、したがって、欠陥が生じた場合における破片は、囲むものに入り得る。
【０００４】
特許文献１からは、旧来の既存のターボチャージャでさえもターボチャージャの破片が入るような欠陥が生じた場合に保護し得る解決法が知られている。
【先行技術文献】
【特許文献】
【０００５】
【特許文献１】独国特許出願公開第１０  ２０１３  ０１３  ５７１号明細書
【発明の概要】
【発明が解決しようとする課題】
【０００６】
ここから出発して、本発明は、新たなタイプの吸気システム及び上記吸気システムを有するターボチャージャを形成する目的に基づく。
【課題を解決するための手段】
【０００７】
この目的は、請求項１にかかる吸気システムを介して解決される。本発明にかかる吸気システムは、組み込み可能なユニットとして設計されており、吸気消音器及び／または吸気管は、所定の手段を備え、この手段は、圧縮機に、すなわち圧縮機ロータに欠陥が生じた場合に圧縮機の破片の運動エネルギーを取り除き、このため、封込保護を形成する。本発明は、まず、ターボチャージャのための吸気システムの組立体を利用することを提案し、これら組立体は、従来技術によれば、もっぱら、圧縮される給気をターボチャージャの圧縮機の方向で案内するように機能し、さらに、封込保護または破裂防止のために機能する、すなわち、吸気システムの吸気消音器及び／または吸気管は、所定の手段を備え、この手段は、圧縮機に欠陥が生じた場合に、圧縮機ロータの破片から運動エネルギーを取り除く。特に、既存の旧来のターボチャージャには、ターボチャージャに有効な封込保護または破裂防止を提供するために、このような吸気システムを組み込み得る。
【０００８】
有利なさらなる展開によれば、吸気消音器は、プレートまたはリブを備え、これらプレートまたはリブは、一方では、圧縮される給気の流動を案内するように、他方では、圧縮機に欠陥が生じた場合に圧縮機ロータの破片の運動エネルギーを取り除くように、機能する。あるいはまたは好ましくはさらに、吸気消音器は、所定の破断点を有する後壁及び／または変形可能な前壁を備え、プレートまたはリブは、前壁と後壁との間に位置し、軸方向または周方向に延在する。吸気消音器の領域におけるこれら手段は、単独でまたは互いに組み合わせて、特に既存の旧来のターボチャージャに組み込むために、ターボチャージャのための破裂防止または封込保護を可能とする。
【０００９】
さらに有利なさらなる展開によれば、吸気管は、少なくとも１つの吸収素子を備え、この吸収素子は、一方では、圧縮される給気の流動を案内するように、他方では、圧縮機に欠陥が生じた場合に圧縮機ロータの破片の運動エネルギーを取り除くように、機能する。吸収素子は、切頭円錐状の外面を備え、吸気管の壁によって外側で囲まれており、切頭円錐状の外面は、好ましくは、吸気管を圧縮機筐体に接続するように機能するフランジの方向でテーパ状とされている。さらなる吸収素子は、ハニカムコアを有する環状構造体として設計され得、この環状構造体は、第１部分を用いて吸気管内に突出し、第２部分を用いて圧縮機筐体内に突出する。別の吸収素子は、吸気管の壁の蛇腹状部分として設計され得、この蛇腹状部分は、第１端部が吸気管の壁の筒状部分に続き、第２端部が圧縮機筐体に続く。吸気管は、吸気システムを圧縮機の圧縮機筐体に接続するためのフランジを備え、このフランジには、所定の破断点が好ましくは形成されている。吸気管の領域に設けられたこれら手段は、同様に、単独でまたは互いに組み合わせて、特に既存の旧来のターボチャージャに組み付けるために、ターボチャージャのための破裂防止または封込保護を可能とする。
【００１０】
本発明にかかるターボチャージャは、請求項１３に規定されている。
【００１１】
本発明にかかる好ましいさらなる展開は、従属請求項及び以下の説明から得られる。図面に制限されることなく、図面を用いて本発明の例示的な形態を詳細に説明する。
【図面の簡単な説明】
【００１２】
【図１】ターボチャージャの吸気システムにおける吸気管の領域で排気ガスターボチャージャを介して抽出する形態を示す断面図である。
【図２】ターボチャージャの吸気システムにおける別の吸気管を介して抽出する形態を示す断面図である。
【図３】図２のさらなる展開にかかる吸気管を示す図である。
【図４】ターボチャージャの吸気システムにおける吸気消音器を介して抽出する形態を示す断面図である。
【図５】ターボチャージャの吸気システムにおける別の吸気消音器を介して抽出する形態を示す断面図である。
【図６】ターボチャージャの吸気システムにおける吸気消音器を示す斜視図である。
【発明を実施するための形態】
【００１３】
本発明は、ターボチャージャに関する。ターボチャージャは、タービン、圧縮機及び吸気システムを備える。ターボチャージャのタービンは、優先的に流入筐体及び流出筐体を有する複数部品のタービン筐体と、タービン筐体内で受けられているタービンロータと、を備える。ターボチャージャの圧縮機は、支持筐体と渦巻筐体と渦巻筐体に取り付けられたインサート片とを有する優先的に複数部品の圧縮機筐体を備える。さらに、圧縮機は、圧縮機筐体内で受けられた圧縮機ロータを備え、この圧縮機ロータは、タービンロータに連結されている。
【００１４】
タービンでは、排気ガスを膨張させ、圧縮機の領域で吸気を圧縮するために、エネルギーをこの処理中に抽出する。ターボチャージャの吸気システムは、圧縮機の領域で圧縮される給気を取り込むように機能する。ここで、吸気システムは、吸気消音器または吸気管を備え、この吸気消音器または吸気管を介して、吸い込まれた給気は、圧縮機の方向で、吸気素子／消音器から出て案内され得る。
【００１５】
ここで対象となる当業者は、ターボチャージャの基本構造を熟知している。
【００１６】
ターボチャージャの動作中に、特に圧縮機ロータが破損して圧縮機ロータの破片が圧縮機の圧縮機筐体を突き破り、圧縮機の周りのものに入る危険性がある。これは、かなり危険な可能性を構成する。したがって、ターボチャージャのための有効な破裂防止または封込保護を提供することは、重要である。これは、すでに現場で使用されている既存の旧来のターボチャージャに当て嵌まる。ここで、本発明は、ターボチャージャのための吸気システムに関し、この吸気システムを用いて、ターボチャージャのための有効な封込保護または破裂保護を提供し得、特に旧来の既に使用されているターボチャージャに組み込むのに適している。
【００１７】
本発明に関して、吸気システムは、組み込み可能なユニットとして設計されており、吸気消音器及び／または吸気管は、所定の手段を備えており、この手段は、ターボチャージャの圧縮機に欠陥が生じた場合において、すなわちターボチャージャの圧縮機ロータに欠陥が生じた場合において、圧縮機ロータの破片から運動エネルギーを取り除き、それにより、封込保護または破裂保護を形成する。
【００１８】
以下、図１から図６を参照しながら、本発明の様々な実施形態について述べ、図１から図６に示す実施形態または特徴は、互いに組み合わせて使用され得る。
【００１９】
図１は、ターボチャージャの吸気システム１０の領域におけるターボチャージャの抜粋を示しており、吸気システム１０は、圧縮される給気を取り込むように、及び、圧縮される給気をターボチャージャの圧縮機１１の方向で案内するように、機能する。吸気システム１０の吸気消音器１２及び吸気管１３を図１において部分的に示す。吸気消音器１２は、圧縮される給気を低騒音で吸い込むように機能し、吸気管１３は、吸気消音器１２から出たこの給気をターボチャージャの圧縮機１１の方向で案内するように機能する。圧縮機１１の渦巻筐体１４と渦巻筐体１４に取り付けられたインサート片１５とを図１に示す。さらに、図１は、圧縮機ロータ１６を示す。
【００２０】
図１の例示的な実施形態において、吸気管１３は、複数の部分からなり、これら部分は、給気の流動方向で見て、前後に位置付けられている、すなわち、第１部分１７は、筒状壁を有して吸気消音器１２に直接続き、部分１８は、給気の流動方向で見て、蛇腹状壁を有して上記部分１７に続く。図１によれば、吸気管１３の部分１７、１８は、フランジ１９、２０を用いて互いに接続されており、これらフランジは、互いに接合されている。フランジ１９の反対側に位置し、２つの部分２１ａ、２１ｂからなるフランジ２１を用いて、吸気管１３の部分１７は、筒状壁を有して吸気消音器１２に、すなわち吸気消音器のフランジ３５に接続されている。フランジ２０の反対側に位置し、２つの部分２２ａ、２２ｂを有するフランジ２２を用いて、吸気管１３の部分１８は、圧縮機１１に、すなわち渦巻筐体１４のフランジ３６に接続されている。
【００２１】
特に圧縮機ロータ１６に欠陥が生じた場合において、圧縮機ロータの破片は、圧縮される給気の流動方向に抗して、いわゆるインサート片１５に乗り、インサート片１５と渦巻筐体１４との間のネジ接続に欠陥が生じると、インサート片１５は、吸気管１３の蛇腹状部分１８の方向で移動し、この蛇腹状部分は、その蛇腹状構造の結果として、変形し、処理中に圧縮機ロータ１６の破片から運動エネルギーを取り除く、すなわち、破片の運動エネルギーに関する吸収素子として機能する。
【００２２】
インサート片１５と渦巻筐体１４との間のこのネジ接続は、これらネジの塑性変形さえも用いて圧縮機ロータ１６の破片から運動エネルギーを取り除くために、応力シャンクを有するネジを用いて形成されており、このため、吸気システム１０から取り除かれる比エネルギーを低減する。
【００２３】
吸収素子として機能している吸気管１３の蛇腹状部分１８は、したがって、一方では、圧縮機ロータに欠陥が生じた場合において圧縮機ロータ１６の破片から運動エネルギーを取り除くように機能し、他方では、吸気消音器１２から出た圧縮される給気の流動をターボチャージャの圧縮機１１の方向で案内するように機能する。上述のように、吸気管１３を圧縮機１１の渦巻筐体１４に及び吸気消音器１２に接続するように機能する２つのフランジ２１、２２は、部分２１ａ、２１ｂ及び２２ａ、２２ｂから各別に複数部品において具現化されており、フランジ２２の部分２２ａ、２２ｂ間の接続点は、所定破壊点を形成し、この破壊点は、圧縮機、すなわち圧縮機ロータ１６に欠陥が生じた場合において、蛇腹状の変形、すなわち、圧縮機の、すなわち圧縮機ロータ１６の破片から運動エネルギーを取り除くために吸気管１３の部分１８を収縮させることを抵抗なく可能とするために、破損する。
【００２４】
吸気管１３の部分１８の蛇腹状構造は、図１に示すように、部分１８の壁にある少なくとも１つの円周溝２３によって、及び／または、上記壁にある複数のポケット状の凹所によって、形成され得る。部分１８は、好ましくは、圧縮機に欠陥が生じた場合に部分１８の良好な変形を保証する材料から、好ましくは延性のある金属材料から製造されている。部分１８は、同様に、ゴム状材料から製造され得る。図１の例示的な実施形態において、吸気管１３は、圧縮機ロータに欠陥が生じた場合に圧縮機ロータの破片の運動エネルギーを取り除く運動エネルギーのための吸収素子を備え、部分は、同様に、給気の流動を案内するように機能する。
【００２５】
吸気管１３のフランジ２１、２２間には、包囲体３７が延在しており、この包囲体は、吸気管１３の部分１７、１８を外側で囲み、包囲体３７と吸気管１３の部分１７、１８との間には、絶縁材料３８が位置する。
【００２６】
図２は、同様に、ターボチャージャの吸気システムの吸気管１３を示しており、吸気管１３のフランジ２１は、プラント用パイプラインに取り付けられ得、フランジ２２は、圧縮機１１に、特に圧縮機１１の渦巻筐体１４に取り付けられ得る。吸気管１３は、フランジ２１、２２間で延在する筒状壁２４を備える。吸気管１３は、順に、圧縮機ロータに欠陥が生じた場合に破片の運動エネルギーを取り除くために、圧縮機ロータの破片の運動エネルギーのための吸収素子２５を備え、図２において、吸収素子２５は、外面が切頭円錐状であり外側が吸気管１３の壁２４によって囲まれた組立体である。この吸収素子２５は、圧縮される給気の流動を案内するように、及び、圧縮機ロータに欠陥が生じた場合に圧縮機ロータ１６の破片から運動エネルギーを取り除くように、機能する。
【００２７】
図２の吸収素子２５は、切頭円錐状の外面を有しており、フランジ２２の方向で漸減し、このフランジは、吸気管１３を圧縮機筐体に接続するように機能する。圧縮機ロータ１６の及びインサート片１５の破片は、プラント用パイプラインの方向で圧縮される給気の流動方向に抗して飛来し、吸収素子２５の外面２５に乗り、外面を変形させ、それにより、その後、吸収素子２５は、所定の態様で破片の運動エネルギーを吸収し、破片を捕捉する。
【００２８】
図３は、さらなる構成を示しており、図３の版には、外面が切頭円錐状である吸収素子２５に加えて、さらなる吸収素子２６が存在し、このさらなる吸収素子は、ハニカムコア２７を有する環状構造体として具現化されている。図３によれば、ハニカムコア２７は、外側が突起２９を有する支持構造体２８によって囲まれており、突起２９は、吸収素子２６を吸気管に組み付けるように機能する。ハニカムコア２７を有する環状構造体は、突出しており、第１部分は、吸気管１３内にあり、第１部分とは反対側に位置する部分は、吸気管１３から外へ突出し、上記部分は、図３に示されていない圧縮機内に、すなわち圧縮機の圧縮機筐体内にある。
【００２９】
図３の例示的な実施形態において、外面が切頭円錐状である吸収素子２５は、吸収素子２５のうち吸収素子２６を向く端部が吸収素子２６の環状構造体内にまたはハニカムコア２７内に突出するようにテーパ状とされている。図３の版によれば、圧縮機ロータ１６の破片は、同様に、圧縮機ロータに欠陥が生じた場合に、ハニカムコア２７に乗り、このハニカムコアは、ハニカムコアを変形させることによって、破片の運動エネルギーを取り除き得る。吸収素子２５は、同様に、給気の流動を案内するように機能する。
【００３０】
上述したように、吸気消音器１２は、同様に、ターボチャージャのための封込保護を提供する手段を備え得、したがって、この手段は、圧縮機または圧縮機ロータに欠陥が生じた場合に圧縮機または圧縮機ロータの破片の運動エネルギーを吸収し得る。
【００３１】
したがって、図４は、吸気消音器１２の抜粋を示し、図４には、吸気消音器１２の前壁３０と、吸気消音器１２の後壁３１と、前壁３０と後壁３１との間に位置する吸気消音器１２の複数のプレート３２と、を示す。プレート３２は、音減衰の減衰素子として機能する。後壁３１は、ターボチャージャの圧縮機を向く。
【００３２】
図４の例示的な実施形態において、吸気消音器１２の後壁３１は、圧縮機ロータに欠陥が生じた場合にインサート片を含む圧縮機ロータ１６の破片から運動エネルギーを取り除く第１手段を提供し、後壁３１は、所定の態様で変形し得る。減衰素子３２は、同様に、運動エネルギーを取り除き得る。さらに、吸気消音器１２の前壁３０は、圧縮機ロータに欠陥が生じた場合に圧縮機ロータ１６の破片の運動エネルギーを取り除くために、変形可能である。
【００３３】
図４において、プレート３２は、吸気消音器１２の前壁３０と後壁３１との間に位置し、これらプレート３２は、ほぼ周方向及び径方向に延在し、軸方向で互いに離間している。プレート３２は、この場合において、軸方向に延在する支持素子３３に取り付けられている。
【００３４】
図４の吸気消音器１２は、シート状金属構造体として具現化されており、吸気消音器の後壁３１、前壁３０及びプレート３２は、有利には、圧縮機に欠陥が生じた場合に運動エネルギーを吸収して取り除き得る。
【００３５】
図５は、ターボチャージャのための吸気システムにかかるさらなる版の吸気消音器１２を示し、図５の版において、プレートまたはリブ３２は、同様に、吸気消音器１２の前壁３０と後壁３１との間に位置し、運動エネルギーを取り除くように機能する。図５の版によれば、所定の破断点３４は、消音器の後壁３１内に導入されており、好ましくは、運動エネルギーを取り除くために圧縮機に欠陥が生じた場合に後壁３１の所定の破断をそこで予め設定するために、後壁３１にある円周溝として形成されている。
【００３６】
本発明にかかる吸気システムのためのさらなる版の吸気消音器１２を図６により示し、図６において、プレートまたはリブ３２は、同様に、吸気消音器１２の前壁３０と後壁３１との間に位置し、一方では、圧縮される給気の流動を案内するように、他方では、欠陥が生じた場合にインサート片の及び圧縮機ロータの破片の運動エネルギーを取り除くように、機能する。図４及び図５の例示的な実施形態と異なり、これらプレートまたはリブ３２は、図６の吸気消音器１２の場合において、軸方向に及び径方向に延在し、周方向で互いに離間している。
【００３７】
本発明は、ターボチャージャの吸気システムの領域において有効な封込保護または破裂保護を提供する。特に、現場で使用されている旧来の既存のターボチャージャには、吸気システム１０の吸気管１３と圧縮機１１の渦巻筐体１４との間にあるフランジ接続２２、３６を介して、単純に既存の吸気システムを本発明にかかる吸気システムに交換することによって、本発明を組み込み得る。
【符号の説明】
【００３８】
１０  吸気システム
１１  圧縮機
１２  吸気消音器
１３  吸気管
１４  渦巻筐体
１５  インサート片
１６  圧縮機ロータ
１７  部分
１８  吸収素子／部分
１９  フランジ
２０  フランジ
２１  フランジ
２１ａ  部分
２１ｂ  部分
２２  フランジ
２２ａ  部分
２２ｂ  部分
２３  溝
２４  壁
２５  吸収素子
２６  吸収素子
２７  ハニカム
２８  支持構造体
２９  突起
３０  前壁
３１  後壁
３２  プレート／リブ
３３  支持素子
３４  所定の破断点
３５  フランジ
３６  フランジ
３７  包囲体
３８  絶縁材料
【図１】
0006776089.tif 000002
【図２】
0006776089.tif 000003
【図３】
0006776089.tif 000004
【図４】
0006776089.tif 000005
【図５】
0006776089.tif 000006
【図６】
0006776089.tif 000007